(57)【要約】【課題】簡単な作業で検査を行うことができるガスメータを提供する。【解決手段】マイコン１７は、一対のＡライン端子Ｔｅ１，Ｔｅ１の所定時間Ｔ１以上の短絡が判定される毎に通常計量モードと検査計量モードとの間でモードを切り替える。また、マイコン１７は、通常計量モードから検査計量モードへの切り替え後、一定期間以上継続して検査計量モードである場合、自動的に通常計量モードに切り替える。【選択図】図１
2019090706.tif 000002
【特許請求の範囲】
【請求項１】
外部機器と通信を行うための一対の通信端子を備えたガスメータにおいて、
前記一対の通信端子の所定時間以上の短絡を判定する判定部と、
前記判定部により前記短絡が判定される毎に通常計量モードと検査計量モードとの間で切り替えるモード切替部と、を備えたことを特徴とするガスメータ。
【請求項２】
前記通常計量モードから前記検査計量モードへの切り替え後、一定期間以上継続して前記検査計量モードである場合、自動的に前記通常計量モードに切り替える自動切替部をさらに備えたことを特徴とする請求項１に記載のガスメータ。
【請求項３】
前記モード切替部は、前記一定期間が０に設定された場合、前記通常計量モードから前記検査計量モードへの切り替えを行わず、前記判定部による前記短絡の判定に応じて前記検査計量モードから前記通常計量モードへの切り替えのみを行うことを特徴とする請求項２に記載のガスメータ。
【発明の詳細な説明】
【技術分野】
【０００１】
本発明は、ガスメータに関する。
【背景技術】
【０００２】
ガスメータは、出荷前などに計量性能を確認するための検査を行っている。ところで、近年のガスメータは、地震やガス漏れなどの異常が検出されたときにガスを遮断する保安機能を有している。そこで、検査時にガスが遮断されないようにするために、検査員は、保安機能が有効な通常計量モードから保安機能が無効な検査計量モードに切り替えた後、検査を行っている。
【０００３】
従来、通常計量モードから検査計量モードへの切り替えは、ガスメータに搭載されるＡラインと呼ばれる通信端子に外部機器を接続し、外部機器から計量モードの切り替えの電文の受信に応じて行っていた（例えば特許文献１）。
【先行技術文献】
【特許文献】
【０００４】
【特許文献１】特開２００４−２７９１８５号公報
【発明の概要】
【発明が解決しようとする課題】
【０００５】
しかしながら、上述した従来の切り替えでは、検査員が、ガスメータ毎に外部機器を接続し、外部機器を操作して電文を送信する必要があるため、時間と手間がかかる、という問題があった。
【０００６】
本発明は、以上の背景に鑑みてなされたものであり、簡単な作業で検査を行うことができるガスメータを提供することを目的としている。
【課題を解決するための手段】
【０００７】
本発明の態様であるガスメータは、外部機器と通信を行うための一対の通信端子を備えたガスメータにおいて、前記一対の通信端子の所定時間以上の短絡を判定する判定部と、前記判定部により前記短絡が判定される毎に通常計量モードと検査計量モードとの間で切り替えるモード切替部と、を備えたことを特徴とする。
【０００８】
また、前記通常計量モードから前記検査計量モードへの切り替え後、一定期間以上継続して前記検査計量モードである場合、自動的に前記通常計量モードに切り替える自動切替部をさらに備えてもよい。
【０００９】
また、前記モード切替部は、前記一定期間が０に設定された場合、前記通常計量モードから前記検査計量モードへの切り替えを行わず、前記判定部による前記短絡の判定に応じて前記検査計量モードから前記通常計量モードへの切り替えのみを行うようにしてもよい。
【発明の効果】
【００１０】
以上説明したように態様によれば、一対の通信端子を短絡するだけで、通信計量モードと検査計量モードとを切り替えることができる。このため、簡単な作業で検査を行うことができる。
【図面の簡単な説明】
【００１１】
【図１】本発明のガスメータの一実施形態を示す外観斜視図である。
【図２】図１に示すガスメータの電気構成図である。
【図３】図２に示すマイコンの切替処理手順を示すフローチャートである。
【図４】図２に示すマイコンの自動切替処理手順を示すフローチャートである。
【発明を実施するための形態】
【００１２】
以下、本発明の一実施形態を、図１及び図２に基づいて説明する。ガスメータ１は、ガス流入口１１、ガス流出口１２にガス供給管（図示せず）が接続され、ガス流入口１１−ガス流出口１２間を流れるガスを計量（積算）して、表示部１４に表示する。
【００１３】
ガスメータ１は、図２に示すように、計量部１３と、表示部１４と、端子台１５（図１）と、遮断弁１６と、マイコン１７と、を備えている。計量部１３は、ガス流入口１１−ガス流出口１２間に流れるガスの計量値に応じた信号を出力する。表示部１４は、周知の液晶ディスプレイから構成され、ガスの計量値などが表示される。本実施形態において端子台１５は、図１に示すように、一対のＡライン端子Ｔｅ１，Ｔｅ１（通信端子）、一対の警報器端子Ｔｅ２，Ｔｅ２、一対の外部機器接続端子Ｔｅ３，Ｔｅ３から構成されている。
【００１４】
一対のＡライン端子Ｔｅ１，Ｔｅ１は、外部機器としての図示しないＮＣＵ（網制御装置）に接続されている。ＮＣＵは、ガスメータ１との通信により計量値（検針値）や保安情報を吸い上げ、電話回線又は無線回線を通じてセンタに送信する。ガスメータ１とＮＣＵとの通信は、一対のＡライン端子Ｔｅ１，Ｔｅ１間に供給される電圧を所定電圧（例えば５Ｖ）と０Ｖ（短絡）との組み合わせで変動させることにより得たパルス状の電文により行われる。通信が行われていない間、一対のＡライン端子Ｔｅ１，Ｔｅ１間は５Ｖが印加されている。
【００１５】
一対の警報器端子Ｔｅ２，Ｔｅ２は、警報器に接続され、警報器からの警報情報が入力される。一対の外部機器接続端子Ｔｅ３，Ｔｅ３は、第２警報器などの外部機器に接続され、外部機器からの情報が入力される。
【００１６】
遮断弁１６は、ガス流入口１１−ガス流出口１２間の流路を遮断する弁である。
【００１７】
マイコン１７は、周知のＣＰＵ、ＲＯＭ、ＲＡＭやタイマー（何れも図示せず）から構成され、ガスメータ１全体の制御を司る。マイコン１７は、計量部１３からの信号に基づいてガスを計量する計量機能、図示しない地震計による地震の検知や警報器からの警報に応じて遮断弁１６を遮断する保安機能を有している。
【００１８】
また、マイコン１７は、判定部、モード切替部として機能するモード切替機能、自動切替部として機能する自動切替機能を有している。モード切替機能は、一対のＡライン端子Ｔｅ１，Ｔｅ１が所定時間Ｔ１（例えば５秒）以上継続して短絡していると判定すると、通常計量モードと検査計量モードとの間を切り替える機能である。上記通常計量モードは、保安機能が有効となるモードであり、上記検査計測モードは、保安機能が無効となるモードである。所定時間Ｔ１としては、Ａライン端子Ｔｅ１，Ｔｅ１に接続される外部機器（例えばＮＣＵ）とのパルス状の電文の０Ｖ（短絡）時間よりも長い時間に設定されている。
【００１９】
なお、マイコン１７は、モード切替後、所定時間Ｔ２（例えば５秒）以上の短絡解除を判定した後、所定時間Ｔ１（例えば５秒）以上の短絡を判定すると、次のモード切替を実行する。
【００２０】
自動切替機能は、通常計量モードから検査計量モードへの切り替え後、一定期間（例えば５日間）以上継続して検査計量モードである場合、自動的に通常計量モードに切り替える機能である。
【００２１】
次に、上記概略で説明したガスメータの切替機能の詳細について、図３のフローチャートを参照して説明する。ガスメータ１のマイコン１７は、電源を投入すると、切替処理を開始する。マイコン１７は、一対のＡライン端子Ｔｅ１，Ｔｅ１が短絡しているか否かを判定する（ステップＳ１）。マイコン１７は、一対のＡライン端子Ｔｅ１，Ｔｅ１が短絡していると判定すると（ステップＳ１でＹ）、タイマーをスタートさせる（ステップＳ２）。
【００２２】
次に、マイコン１７は、タイマーのカウント値が所定時間Ｔ１（例えば５秒）以上であるか否かを判定する（ステップＳ３）。カウント値が所定時間Ｔ１に達していなければ（ステップＳ３でＮ）、マイコン１７は、一対のＡライン端子Ｔｅ１，Ｔｅ１の短絡が継続しているか否かを判定する（ステップＳ４）。一対のＡライン端子Ｔｅ１，Ｔｅ１の短絡が継続していれば（ステップＳ４でＹ）、マイコン１７は、再びステップＳ３に戻り、タイマーのカウントを継続させる。一方、一対のＡライン端子Ｔｅ１，Ｔｅ１の短絡が継続していなければ（ステップＳ４でＮ）、マイコン１７は、タイマーをリセット、ストップした後（ステップＳ５）、ステップＳ１に戻る。
【００２３】
一対のＡライン端子Ｔｅ１，Ｔｅ１の短絡が所定時間Ｔ１以上継続して、タイマーのカウント値が所定時間Ｔ１に達すると（ステップＳ３でＹ）、マイコン１７は、計量モードを切り替える（ステップＳ６）。ステップＳ６において、マイコン１７は、現在、通常計量モードであれば、検査計量モードに切り替え、現在、検査計量モードであれば、通常計量モードに切り替える。
【００２４】
計量モードを切り替えた後（ステップＳ６）、マイコン１７は、タイマーをリセット、ストップする（ステップＳ７）。その後、マイコン１７は、一対のＡライン端子Ｔｅ１，Ｔｅ１の短絡が解除されるのを待って（ステップＳ８でＮ）、再びタイマーをスタートさせる（ステップＳ９）。次に、マイコン１７は、タイマーのカウント値が所定時間Ｔ２以上であるか否かを判定する（ステップＳ１０）。
【００２５】
カウント値が所定時間Ｔ２に達していなければ（ステップＳ１０でＮ）、マイコン１７は、一対のＡライン端子Ｔｅ１，Ｔｅ１の短絡解除が継続しているか否かを判定する（ステップＳ１１）。一対のＡライン端子Ｔｅ１，Ｔｅ１の短絡解除が継続していれば（ステップＳ１１でＮ）、マイコン１７は、再びステップＳ１０に戻り、タイマーのカウントを継続させる。一方、一対のＡライン端子Ｔｅ１，Ｔｅ１の短絡解除が継続していなければ（ステップＳ１１でＹ）、マイコン１７は、再びステップＳ７に戻る。これにより、マイコン１７は、所定時間Ｔ２以上の短絡解除を判定しないと、その後、Ａライン端子Ｔｅ１，Ｔｅ１の短絡が継続しても、モードが切り替わらないようになっている。
【００２６】
一対のＡライン端子Ｔｅ１，Ｔｅ１の短絡解除が所定時間Ｔ２以上継続して、タイマーのカウント値が所定時間Ｔ２に達すると（ステップＳ１０でＹ）、マイコン１７は、タイマーをリセット、ステップした後（ステップＳ１２）、再びステップＳ１に戻る。これにより、マイコン１７は、所定時間Ｔ２以上の短絡解除を判定すると、その後、Ａライン端子Ｔｅ１，Ｔｅ１の所定時間Ｔ１以上の短絡の判定に応じて、モードを切り替える。
【００２７】
次に、上記概略で説明したガスメータの自動切替機能の詳細について、図４のフローチャートを参照して説明する。マイコン１７は、上記切替処理により検査計量モードに切り替えられると、図４に示す自動切替処理を実行する。まず、マイコン１７は、タイマーをスタートさせる（ステップＳ１５）。その後、マイコン１７は、通常計量モードに切り替わったか否かを判定する（ステップＳ１６）。
【００２８】
通常計量モードに切り替わっていれば（ステップＳ１６でＹ）、マイコン１７は、直ちにタイマーをリセット、ストップした後（ステップＳ１９）、処理を終了する。
【００２９】
一方、通常計量モードに切り替わっていなければ（ステップＳ１６でＮ）、マイコン１７は、タイマーのカウント値が一定期間に達したか否かを判定する（ステップＳ１７）。一定期間に達していなければ（ステップＳ１７でＮ）、マイコン１７は、再びステップＳ１６に戻る。一定期間に達していれば（ステップＳ１７でＹ）、マイコン１７は、通常計量モードに切り替え（ステップＳ１８）、タイマーをリセット、ストップした後（ステップＳ１９）、処理を終了する。
【００３０】
なお、上記一定期間は、例えば、設定器をガスメータ１の端子台１５に接続して、設定器との通信によりユーザが任意に設定できるようにしてもよい。また、一定期間が０に設定された場合、マイコン１７は、上記切替処理を実行せずに、自動切替処理のみ実行する。これにより、一定期間が０に設定された場合、一対のＡライン端子Ｔｅ１，Ｔｅ１の短絡により、通常計量モードから検査計量モードへの切り替えが行われなくなる。また、ガスメータ１が検査計量モードである場合は自動切替処理により直ちに通常計量モードに切り替えられる。
【００３１】
上述した実施形態によれば、マイコン１７は、一対のＡライン端子Ｔｅ１，Ｔｅ１の所定時間Ｔ１以上の短絡が判定される毎に通常計量モードと検査計量モードとの間でモードを切り替える。このため、従来はガスメータに外部機器を接続してさらに、外部機器を操作する必要があったが、上記実施形態によれば、検査時に検査員が、治具１０（図１）を用いて一対のＡライン端子Ｔｅ１，Ｔｅ１を短絡するだけで、通常計量モードと検査計量モードとを切り替えることができ、簡単な作業で検査を行うことができる。
【００３２】
また、上述した実施形態によれば、マイコン１７は、通常計量モードから検査計量モードへの切り替え後、一定期間以上継続して検査計量モードである場合、自動的に通常計量モードに切り替える。これにより、検査員が一対のＡライン端子Ｔｅ１，Ｔｅ１の短絡を解除し忘れても自動的に通常計量モードに戻ることができる。
【００３３】
また、上述した実施形態によれば、マイコン１７は、上記一定期間が０に設定された場合、通常計量モードから検査計量モードへの切り替えを行わず、一対のＡライン端子Ｔｅ１，Ｔｅ１の短絡の判定に応じて検査計量モードから通常計量モードへの切り替えのみを行う。これにより、一定期間を０に設定すれば、検査計量モードに切り替えられないようにすることもできる。
【００３４】
また、上述した実施形態では、マイコン１７は、一対のＡライン端子Ｔｅ１，Ｔｅ１の短絡に応じてモードを切り替えていたが、これに限ったものではない。マイコン１７は、一対の警報器端子Ｔｅ２，Ｔｅ２や外部機器接続端子Ｔｅ３、Ｔｅ３の短絡に応じてモードを切り替えてもよい。
【００３５】
また、上述した実施形態では、マイコン１７は、自動切替処理を実行しているが、これに限ったものではない。自動切替処理を実行することは必須ではなく、実行しなくてもよい。
【００３６】
なお、本発明は上記実施形態に限定されるものではない。即ち、本発明の骨子を逸脱しない範囲で種々変形して実施することができる。
【符号の説明】
【００３７】
１  ガスメータ
１７  マイコン（判定部、モード切替部、自動切替部）
Ｔｅ１  Ａライン端子（通信端子）
【図１】
2019090706.tif 000003
【図２】
2019090706.tif 000004
【図３】
2019090706.tif 000005
【図４】
2019090706.tif 000006